(57)【要約】      （修正有）【課題】  特定の場面において、必要な医用情報に対して容易かつ迅速にアクセスすることができる医用情報処理システムを提供する。【解決手段】  格納手段１０１は、医用情報を格納する。指定手段１０２は、格納手段１０１に格納された医用情報のうち、特定の場面で使用する一部の特定情報を予め指定する。取得手段１０３は、指定手段１０２で指定された特定情報のみを特定の場面で用いられる端末装置に取得させる。この医用情報処理システムによれば、指定された特定情報のみを特定の場面で用いられる端末装置に取得させるので、システムの負担が低減され、端末装置が特定情報を迅速に取得できる。取得手段１０３により取得された特定情報を端末装置に表示する表示手段を備えてもよい。また、端末装置の表示画面上で患者の指定を受け付ける患者受付手段を備え、表示手段は患者受付手段で指定された患者について特定情報を一覧表示してもよい。【選択図】図１
2007048100.tif 000002
【特許請求の範囲】
【請求項１】
医用情報を取り扱う医用情報処理システムにおいて、
医用情報を格納する格納手段と、
前記格納手段に格納された医用情報のうち、特定の場面で使用する一部の特定情報を予め指定する指定手段と、
前記指定手段で指定された前記特定情報のみを前記特定の場面で用いられる端末装置に取得させる取得手段と、
を備えることを特徴とする医用情報処理システム。
【請求項２】
前記取得手段により取得された前記特定情報を前記端末装置に表示する表示手段を備えることを特徴とする請求項１に記載の医用情報処理システム。
【請求項３】
前記端末装置の表示画面上で患者の指定を受け付ける患者受付手段を備え、
前記表示手段は前記患者受付手段で指定された患者について前記特定情報を一覧表示することを特徴とする請求項２に記載の医用情報処理システム。
【請求項４】
前記表示手段による前記一覧表示の表示画面上で前記特定情報の指定を受け付ける特定情報受付手段を備え、
前記表示手段は前記特定情報受付手段で指定された前記特定情報を表示することを特徴とする請求項３に記載の医用情報処理システム。
【請求項５】
前記特定情報は文書であることを特徴とする請求項１〜４のいずれか１項に記載の医用情報処理システム。
【請求項６】
前記特定情報は画像であることを特徴とする請求項１〜４のいずれか１項に記載の医用情報処理システム。
【請求項７】
前記格納手段は前記医用情報として電子カルテに使用する情報を格納することを特徴とする請求項１〜６のいずれか１項に記載の医用情報処理システム。
【請求項８】
医用情報を取り扱う医用情報処理方法において、
医用情報を格納するステップと、
前記格納するステップで格納された医用情報のうち、特定の場面で使用する一部の特定情報を予め指定するステップと、
前記指定するステップで指定された前記特定情報のみを前記特定の場面で用いられる端末装置に取得させるステップと、
を備えることを特徴とする医用情報処理方法。
【請求項９】
前記取得するステップにより取得された前記特定情報を前記端末装置に表示するステップを備えることを特徴とする請求項８に記載の医用情報処理方法。
【請求項１０】
前記端末装置の表示画面上で患者の指定を受け付けるステップと、
前記患者の指定を受け付けるステップで指定された患者について前記特定情報を一覧表示するステップと、
を備えることを特徴とする請求項９に記載の医用情報処理方法。
【請求項１１】
前記一覧表示の表示画面上で前記特定情報の指定を受け付けるステップと、
前記特定情報の指定を受け付けるステップで指定された前記特定情報を表示するステップと、
を備えることを特徴とする請求項１０に記載の医用情報処理方法。
【請求項１２】
前記特定情報は文書であることを特徴とする請求項８〜１１のいずれか１項に記載の医用情報処理方法。
【請求項１３】
前記特定情報は画像であることを特徴とする請求項８〜１１のいずれか１項に記載の医用情報処理方法。
【請求項１４】
前記格納するステップでは前記医用情報として電子カルテに使用する情報を格納することを特徴とする請求項８〜１３のいずれか１項に記載の医用情報処理方法。
【発明の詳細な説明】
【技術分野】
【０００１】
本発明は、医用情報を取り扱う医用情報処理システムに関し、とくに必要な医用情報へ容易にアクセスできる医用情報処理システムに関する。
【背景技術】
【０００２】
従来の紙カルテと同様の機能を有する電子カルテを用いたシステムが知られている。電子カルテには、診療録や検査結果等を記録する機能、検査等の予約情報を管理する機能、あるいは検査画像や検査レポート等の診断情報を参照する機能など、多種多様な機能が備えられている。
【０００３】
【特許文献１】特開２００２−１１７１４２号公報
【発明の開示】
【発明が解決しようとする課題】
【０００４】
電子カルテは臨床医の診療業務の支援に限らず、医療機関の各部門に対する必要な情報の提供を行うものであり、個々の患者に関して医療に必要な多種多様な情報を取り扱う。例えば、電子カルテにより診療録を参照する場合には、患者の氏名、年齢、性別等の患者基本情報は電子カルテデータベースを参照し、オーダリング情報はオーダリングデータベースを参照し、検査結果はファイリングデータベースや電子カルテデータベースを参照する。このように電子カルテでは、多様で大量のデータを患者単位で取り扱うことができ、これにより紙を用いたカルテの機能のみならず、その他の医療機関の機能を集約することができる。
【０００５】
しかし、電子カルテでは大量のデータを取り扱うため、特定の場面において必要な情報へのアクセスが困難にあるという問題がある。例えば、迅速に必要な情報にアクセスしたい診療時等に、電子カルテシステムを起動しても、システムが大量のデータを取り扱うために、必要な情報の表示レスポンスの低下を招くおそれがある。また、多種多様なデータから目的のデータにたどり着く必要があり、操作が煩雑になるという問題がある。このように、電子カルテシステムでは、大量のデータを取り扱うことに起因する問題がある。
【０００６】
本発明の目的は、特定の場面において、必要な医用情報に対して容易かつ迅速にアクセスすることができる医用情報処理システムを提供することにある。
【課題を解決するための手段】
【０００７】
本発明の医用情報処理システムは、医用情報を取り扱う医用情報処理システムにおいて、医用情報を格納する格納手段と、前記格納手段に格納された医用情報のうち、特定の場面で使用する一部の特定情報を予め指定する指定手段と、前記指定手段で指定された前記特定情報のみを前記特定の場面で用いられる端末装置に取得させる取得手段と、を備えることを特徴とする。
この医用情報処理システムによれば、指定された特定情報のみを特定の場面で用いられる端末装置に取得させるので、システムの負担が低減され、端末装置が特定情報を迅速に取得できる。
【０００８】
前記取得手段により取得された前記特定情報を前記端末装置に表示する表示手段を備えてもよい。
この場合には、特定情報が迅速に表示される。
【０００９】
前記端末装置の表示画面上で患者の指定を受け付ける患者受付手段を備え、前記表示手段は前記患者受付手段で指定された患者について前記特定情報を一覧表示してもよい。
【００１０】
前記表示手段による前記一覧表示の表示画面上で前記特定情報の指定を受け付ける特定情報受付手段を備え、前記表示手段は前記特定情報受付手段で指定された前記特定情報を表示してもよい。
【００１１】
前記特定情報は文書であってもよい。
【００１２】
前記特定情報は画像であってもよい。
【００１３】
前記格納手段は前記医用情報として電子カルテに使用する情報を格納してもよい。
【００１４】
本発明の医用情報処理方法は、医用情報を取り扱う医用情報処理方法において、医用情報を格納するステップと、前記格納するステップで格納された医用情報のうち、特定の場面で使用する一部の特定情報を予め指定するステップと、前記指定するステップで指定された前記特定情報のみを前記特定の場面で用いられる端末装置に取得させるステップと、を備えることを特徴とする。
この医用情報処理方法によれば、指定された特定情報のみを特定の場面で用いられる端末装置に取得させるので、システムの負担が低減され、端末装置が特定情報を迅速に取得できる。
【００１５】
前記取得するステップにより取得された前記特定情報を前記端末装置に表示するステップを備えてもよい。
この場合には、特定情報が迅速に表示される。
【００１６】
前記端末装置の表示画面上で患者の指定を受け付けるステップと、前記患者の指定を受け付けるステップで指定された患者について前記特定情報を一覧表示するステップと、を備えてもよい。
【００１７】
前記一覧表示の表示画面上で前記特定情報の指定を受け付けるステップと、前記特定情報の指定を受け付けるステップで指定された前記特定情報を表示するステップと、を備えてもよい。
【００１８】
前記特定情報は文書であってもよい。
【００１９】
前記特定情報は画像であってもよい。
【００２０】
前記格納するステップでは前記医用情報として電子カルテに使用する情報を格納してもよい。
【発明の効果】
【００２１】
本発明の医用情報処理システムによれば、指定された特定情報のみを特定の場面で用いられる端末装置に取得させるので、システムの負担が低減され、端末装置が特定情報を迅速に取得できる。
【００２２】
本発明の医用情報処理方法によれば、指定された特定情報のみを特定の場面で用いられる端末装置に取得させるので、システムの負担が低減され、端末装置が特定情報を迅速に取得できる。
【発明を実施するための最良の形態】
【００２３】
図１は本発明による医用情報処理システムを機能的に示すブロック図である。
【００２４】
図１において、格納手段１０１は、医用情報を格納する。指定手段１０２は、格納手段１０１に格納された医用情報のうち、特定の場面で使用する一部の特定情報を予め指定する。取得手段１０３は、指定手段１０２で指定された特定情報のみを特定の場面で用いられる端末装置に取得させる。
【００２５】
以下、図２〜図６を参照して、本発明による医用情報処理システムの一実施形態について説明する。
【００２６】
図２は本実施形態の医用情報処理システムの構成を示すブロック図である。
【００２７】
図２に示すように、本実施形態の医用情報処理システム１００は、医用情報を統合的に管理する情報処理サーバ１と、種々の医用情報を格納するデータ格納部群（ファイリングデータ格納部２１、電子カルテデータ格納部２２およびオーダリングデータ格納部２３）と、ユーザの操作を受け付ける端末装置３１，３２，・・・と、を備える。端末装置３１，３２，・・・は通信回線５を介して情報処理サーバ１に接続されている。Ｗｅｂ（World Wide Web）を用いて端末装置３１，３２，・・・を情報処理サーバ１に接続する場合には、医療機関の外部からも情報処理サーバ１にアクセスできる。
【００２８】
ファイリングデータ格納部２１には、検査結果等の文書や検査画像等の診断画像が格納される。文書や診断画像は、放射線科システム９１、生理検査システム９２、生体検査システム９３、内視鏡部門システム９４等で作成され、送信されたデータである。電子カルテデータ格納部２２には、患者の氏名、年齢、性別等の患者基本情報や診療録等が格納される。オーダリングデータ格納部２３には、検査等の予約情報が格納される。
【００２９】
医用情報処理システム１００は、電子カルテシステムを構成する。電子カルテシステムは、従来の紙カルテと同様の機能を有する電子カルテを用いるシステムである。電子カルテでは、ファイリングデータ格納部２１、電子カルテデータ格納部２２、およびオーダリングデータ格納部２３に格納された多種多様のデータを取り扱う。これらのデータを用いることで、電子カルテには、診療録や検査結果等を記録する機能、検査等の予約情報を管理する機能、あるいは検査画像や検査レポート等の診断情報を参照する機能など、多種多様な機能が備えられている。
【００３０】
このように、電子カルテは臨床医の診療業務の支援に限らず、医療機関の各部門に対する必要な情報の提供を行うものであり、個々の患者に関して医療に必要な多種多様な情報を取り扱う。
【００３１】
また、医用情報処理システム１００は、電子カルテシステムとは別に、医療に関連する特定の場面への対応に特化した機能を有する。このような機能により、特定の場面における必要な情報への迅速なアクセスを可能としている。本発明の医用情報システムは、このような機能の提供を要点とするものである。
【００３２】
以下、診療時に臨床医が利用可能な機能について例示的に説明する。
【００３３】
図３は情報処理サーバ１の記憶部１１に格納された文書データベーステーブルおよび画像データベーステーブルの構成を示す図である。
【００３４】
文書データベーステーブルには、ファイリングデータ格納部２１、電子カルテデータ格納部２２、およびオーダリングデータ格納部２３に格納された多種多様のデータのうち、診療時に必要となる文書の文書発効日、文書種別、患者ＩＤ、文書ＵＩＤおよび文書格納位置が対応付けられている。
【００３５】
「文書」は、診察時に必要となる検査結果等の文書である。「文書発効日」は、文書が発効した日を特定する。「文書種別」は検査結果等の種類を特定する。「患者ＩＤ」は個々の患者をユニークに特定するＩＤである。「文書ＩＤ」は個々の文書をユニークに特定するＩＤである。「文書格納位置」は、各文書の格納位置を特定するデータであり、例えば、「文書格納位置」としてファイリングデータ格納部２１の特定の格納アドレスが示される。
【００３６】
画像データベーステーブルには、対応文書ＩＤ、画像ＵＩＤおよび画像格納位置が対応付けられている。
【００３７】
「画像」は、診察時に必要となる文書に添付された診断画像等である。「対応文書ＩＤ」は画像が対応付けられる文書を示す文書ＩＤである。「画像ＩＤ」は個々の画像をユニークに特定するＩＤである。「画像格納位置」は、各画像の格納位置を特定するデータであり、例えば、「画像格納位置」としてファイリングデータ格納部２１の特定の格納アドレスが示される。
【００３８】
図４は端末装置３１の案内画面表示を例示する図である。各端末装置の画面表示を制御するソフトウェアは、例えば、各端末装置に実装される。
【００３９】
図４の案内画面では、文書を検索するためのキーワードを入力するための検索キーワード入力ボックス５１が表示される。また、アイコン５２は全文書の一覧を表示する機能に、アイコン５３は文書毎にその内容を表示する機能に、アイコン５４は後述するポータル機能に、それぞれ割り付けられている。
【００４０】
例えば、端末装置３１のキーボードを用いて検索キーワード入力ボックス５１に患者ＩＤを入力し、端末装置３１のマウスを用いてアイコン５２をクリックすると、端末装置３１とのやり取りに基づいて情報処理サーバ１が記憶部１１の文書データベーステーブル（図３）を参照し、対応する患者のデータを検索する。その後、情報処理サーバ１とのやり取りに基づいて、端末装置３１では対応する患者についてすべての文書が一覧表示される。
【００４１】
図５は一覧表示の表示例を示す図である。この例では、文書発効日として規定された日に発効したすべての文書が、文書種ごとに１つの枠内に時系列順に表示される。図５のアイコン６１〜６４は個々の文書ＩＤに割り付けられている。任意のアイコン６１〜６４をクリックすると、端末装置３１とのやり取りに基づいて、情報処理サーバ１が対応する文書をファイリングデータ格納部２１等から取得し、対応する文書が端末装置３１に表示される。
【００４２】
図６は、各文書に添付された診断画像の一つをサムネイル表示する例を示す図である。このような表示は、ポータル機能に基づくものであり、図４の案内表示画面におけるアイコン５４をクリックすることで図６の画面表示が実行される。
【００４３】
この例では、サムネイル画像６１Ｂがアイコン６１Ａに、サムネイル画像６２Ｂがアイコン６２Ａに、サムネイル画像６３Ｂがアイコン６３Ａに、サムネイル画像６４Ｂがアイコン６４Ａに、それぞれ対応付けられている。
【００４４】
例えば、アイコン６１Ａをクリックすると、アイコン６１Ａが割り付けられた文書ＩＤの文書が表示される。また、サムネイル画像６１Ｂをクリックすると、アイコン６１Ａが割り付けられた上記文書に添付された診断画像が表示される。
【００４５】
なお、端末装置３１とのやり取りに基づいて画像データベーステーブル（図３）を参照することで、情報処理サーバ１は、文書に添付された診断画像およびサムネイル画像を特定する。また、所定のサムネイル画像がクリックされた場合、情報処理サーバ１は、端末装置３１とのやり取りに基づいて、対応する診断画像のデータをファイリングデータ格納部２１等から取得し、対応する診断画像が端末装置３１に表示される。
【００４６】
上記実施形態において、端末装置３１にＷｅｂブラウザ上で動作するＣＧＩ（Common Gateway Interface）を実装し、画面表示に関する機能をＵＲＬ（Uniform Resource Locator）に割り当てるようにしてもよい。この場合には、医用情報処理システム１００内に構成されるシステムや、医用情報処理システム１００に接続される別のシステム、あるいは医療機関の外部からでも、上記機能を利用できる。また、各端末装置に対する実装のための煩雑な作業が不要となる。
【００４７】
例えば、ＵＲＬの値を「http://ＣＧＩ機能名?パラメータ部」とし、「ＣＧＩ機能名」に上記「全文書ブラウザ機能」や「文書毎ブラウザ機能」を、「パラメータ部」に「患者ＩＤ」、「文書ＵＩＤ」あるいは「画像ＵＩＤ」等を割り当てることができる。これらのＵＲＬと、上記アイコンとを対応付けることで、上記動作を実行させることができる。また、パラメータ部は必要な検索キーワードに応じて自由に増設することができる。
【００４８】
このように、上記実施形態では、診療に際して必要となるデータのみを参照、表示する機能を、電子カルテシステムと別に設けている。このため、取り扱うデータ量を抑制することでシステムに対する負担を低減でき、迅速な動作を確保できる。また、操作を単純化できるため、一層、短時間で必要な情報にアクセスできる。
【００４９】
また、本実施形態では、必要な情報に効率的にアクセスするための表示画面を用意している。このため、マウスクリック等の簡単な操作のみで必要な情報を迅速に表示させることができる。例えば、患者を指定して文書の一覧表示をさせることで、容易に患者ごとに文書や診断画像を把握することができる。
【００５０】
上記実施形態では、診療時に臨床医が利用可能な機能について例示したが、医療に関する他の種々の場面に応じた機能をシステムに与えることもできる。例えば、温度版や日誌等の看護士に必要な情報へのアクセスに特化した機能や、薬剤処方の履歴等、薬剤処方部門で必要な情報へのアクセスに特化した機能を同様の仕組みにより与えるようにしてもよい。
【００５１】
本発明の適用範囲は上記実施形態に限定されることはない。本発明は、医用情報を取り扱う医用情報処理システムに対し、広く適用することができる。
【図面の簡単な説明】
【００５２】
【図１】本発明による医用情報処理システムを機能的に示すブロック図。
【図２】本実施形態の医用情報処理システムの構成を示すブロック図。
【図３】文書データベーステーブルおよび画像データベーステーブルの構成を示す図。
【図４】案内画面表示を例示する図。
【図５】一覧表示の表示例を示す図。
【図６】文書に添付された診断画像の一つをサムネイル表示する例を示す図。
【符号の説明】
【００５３】
１      情報処理サーバ（指定手段、取得手段）
１１    記憶部（指定手段）
２１〜２３  データ格納部（格納手段）
３１，３２  端末装置
１０１  格納手段
１０２  指定手段
１０３  取得手段
【図１】
2007048100.tif 000003
【図２】
2007048100.tif 000004
【図３】
2007048100.tif 000005
【図４】
2007048100.tif 000006
【図５】
2007048100.tif 000007
【図６】
2007048100.tif 000008